(57)【要約】【課題】分解・組立を容易にするとともに、分解された場合は体積を小さくして運搬を容易にでき、組み立てられた場合は簡単に連結して設置場所の広さに対応可能にした商品陳列什器を提供すること。【解決手段】矩形の第１枠体２０１と、該第１枠体２０１の上下の略中央部側面に設けた連結金具４０１、４０２と、下面に設けた転動輪９０とにより第１ユニット枠体２０を構成し、矩形の第２枠体３０１と、該第２枠体３０１の上下端の延長方向に設けた締結金具５０１、５０２とにより第２ユニット枠体３０を構成し、一対の第１ユニット枠体２０、２０を、連結金具４０１、４０２が互いに対向するように所定間隔をおいて対峙させ、第２ユニット枠体３０を第１ユニット枠体２０の略中央に直交するように配置し、連結金具４０１、４０２に締結金具５０１、５０２を係合させて、第１ユニット枠体２０、２０と第２ユニット枠体３０とをＨ字状に締結した。【選択図】図１
2007301216.tif 000002
【特許請求の範囲】
【請求項１】
上下の第１水平枠と、両第１水平枠の端部を連結する左右の第１縦枠とにより矩形の第１枠体を構成し、前記上下の第１水平枠の略中央部側面に連結金具と、前記第１枠体の下面に転動輪とを取り付けて第１ユニット枠体を構成し、
上下の第２水平枠と、両第２水平枠の端部を連結する左右の第２縦枠とにより矩形の第２枠体を構成し、該第２枠体の上下端で、該第２枠体の延長方向に、前記連結金具と係合する締結金具を取り付けて第２ユニット枠体を構成し、
一対の前記第１ユニット枠体を、前記連結金具が互いに対向するように、所定間隔をおいて対峙させ、前記第２ユニット枠体を前記第１ユニット枠体の略中央に直交するように配置し、
前記第１ユニット枠体の連結金具に前記第２ユニット枠体の締結金具を係合させて、前記第１ユニット枠体と前記第２ユニット枠体とをＨ字状に締結したことを特徴とする商品陳列什器。
【請求項２】
請求項１に記載の商品陳列什器において、
前記第２ユニット枠体の左右の第２縦枠の、該第２縦枠が対向する面と直交する面に、縦方向に一定のピッチで複数の長孔を設けたことを特徴とする商品陳列什器。
【請求項３】
請求項１または請求項２に記載の商品陳列什器において、
前記第１縦枠および第２縦枠の高さ方向中間部に、前記第１水平枠および第２水平枠と平行な中間枠をそれぞれ取り付けたことを特徴とする商品陳列什器。
【請求項４】
両端に前記第１水平枠に係合する係合金具を取り付けた複数の連結棒を用意し、該連結棒を前記第１水平枠および／または前記中間枠に係合することにより、請求項１乃至請求項３のいずれか１項に記載の複数の商品陳列什器を連結したことを特徴とする商品陳列什器。
【請求項５】
請求項４に記載の商品陳列什器において、
前記連結棒の両端に取り付けた係合金具は、
底壁と、該底壁の両端に連続し、前記連結棒の端部が一方の外面に溶接される縦壁とからなるコ字状断面の鍵部材と、
該鍵部材の前記底壁の中央内面に、前記縦壁と平行に立設した円柱と、
を備えたものであり、
前記第１水平枠または中間枠に、前記円柱が挿入される上下に貫通する係合孔を設けたことを特徴とする商品陳列什器。
【発明の詳細な説明】
【技術分野】
【０００１】
本発明は、商品陳列什器に関し、特に、構成部材をモジュール化して分解・組立を容易にするとともに、分解された場合は体積を小さくして運搬が容易にでき、組み立てられた場合は連結棒により連結して設置場所の広さに対応可能にした商品陳列什器に関する。
【背景技術】
【０００２】
商品陳列什器は、商品を効率よく、かつ見栄えよく陳列するため、あるいは陳列形態の変更に容易に対応するために、運搬時や収納時に大きなスペースを取らないように折り畳み式にしたものや、売り場の広さや、陳列する商品の量により横位置を変更自在としたもの等が多数提案されている。
例えば、折り畳み式にしたものとして特許文献１や特許文献２に記載されたハンガーラックがあり、また、横位置を変更自在としたものとして特許文献３に記載された商品陳列什器がある。
【０００３】
特許文献１に記載の「折り畳み式ハンガー掛け」は、ハンガー掛け棒１と支持棒２とを水平方向に平行に配置し、その両端を２本の垂直支柱３、４に連結し、支柱の下端に水平な脚５、６を連結したハンガー掛けにおいて、ハンガー掛け棒１及び支持棒２をそれぞれ中途より垂直方向に折り曲げ可能とし、さらに垂直支柱３、４と脚５、６との連結部を折り曲げ可能としたものである。
【０００４】
また、特許文献２に記載の「洋服運搬用ハンガーラック」は、ハンガーラックＡを、長方形形状に形成され端部にポール支持体を一体的に備えるフレーム１１を有する台車１０と、フレーム１１の長さより短くフレーム１１の端部に基端にて起伏可能に組み付けられてポール支持体を一体的に備える一対の支柱２１と、フレーム１１の長さと略同じ長さに形成されて両支柱の起立時には各支柱に設けたポール支持体に両端部にて脱着可能に組み付けられ、また両支柱の倒伏時にはフレームに設けたポール支持体に両端部にて脱着可能に組み付けられるハンガーポール３１〜３４を備えるようにしたものである。
【０００５】
また、特許文献３に記載の「商品陳列什器」は、２つの基台２と、基台２に相対向して立設された２本の基柱３と、基柱３の下部の内側間に架設固定された下部レール４と、基柱３に昇降自在に設けられた支持柱５と、支持柱５の上部の内側間に架設固定された上部レール６と、下部レール４の上部に移動自在に上記基柱３と平行に立設された複数の移動柱７と、移動柱７に昇降自在に設けられた複数の取付柱８とからなるものである。
【特許文献１】特開平０５−２０７９２３号公報
【特許文献２】特開平８−２４０５３号公報
【特許文献３】特開２０００−３２５１９４号公報
【発明の開示】
【発明が解決しようとする課題】
【０００６】
ところが、特許文献１に記載の「折り畳み式ハンガー掛け」では、小さく折り畳むことができるので、運搬時や収納時にスペースを取らないため、運搬コストや保管コストを安くできるが、折り畳み機構部の構造が複雑でコスト高となり、開いたときに当初設定以上の大きさにすることができず、展示スペースの自由度に十分対応できないという問題がある。
【０００７】
また、特許文献２に記載の「洋服運搬用ハンガーラック」では、台車１０の大きさは固定であり、台車１０に対して折りたむことができるのは支柱２１と、支柱２１から取り外すことができるハンガーポール３１〜３４のみであり、構造が複雑で、折り畳み時の大きさが小さくならず、且つ、組み立て作業にも手間がかかるという問題がある。
【０００８】
また、特許文献３に記載の「商品陳列什器」では、基台２上に、基柱３と下部レール４と上部レール６とで囲まれる部分の大きさは何ら変わらず、内部に設けられた移動柱７の移動と、移動柱７と基柱３に昇降自在に設けられた取付柱８による上下方向の移動により、調整が可能なだけであり、陳列の自由度が十分とはいえないという問題がある。さらに、この商品陳列什器は折り畳みや分解ができないので運搬しにくいという問題もある。
【０００９】
そこで、本発明は、かかる課題を解決すべく、分解・組立を容易にするとともに、分解された場合は体積を小さくして運搬を容易にでき、組み立てられた場合は簡単に連結して設置場所の広さに対応可能な大きさに容易に変更できる商品陳列什器を提供することを目的とする。
【課題を解決するための手段】
【００１０】
本発明に係る請求項１に記載の商品陳列什器は、上下の第１水平枠と、両第１水平枠の端部を連結する左右の第１縦枠とにより矩形の第１枠体を構成し、前記上下の第１水平枠の略中央部側面に連結金具と、前記第１枠体の下面に転動輪とを取り付けて第１ユニット枠体を構成し、上下の第２水平枠と、両第２水平枠の端部を連結する左右の第２縦枠とにより矩形の第２枠体を構成し、該第２枠体の上下端で、該第２枠体の延長方向に、前記連結金具と係合する締結金具を取り付けて第２ユニット枠体を構成し、一対の前記第１ユニット枠体を、前記連結金具が互いに対向するように、所定間隔をおいて対峙させ、前記第２ユニット枠体を前記第１ユニット枠体の略中央に直交するように配置し、前記第１ユニット枠体の連結金具に前記第２ユニット枠体の締結金具を係合させて、前記第１ユニット枠体と前記第２ユニット枠体とをＨ字状に締結したことを特徴とする。
【００１１】
よって、商品陳列什器を、一対の第１ユニット枠体と単一の第２ユニット枠体の最小単位で構成でき、しかもこれらが枠体で構成されるため、分解したときに薄く収納できるとともに、組立時には、何ら工具を使わずに、一対の第１ユニット枠体を、所定間隔をおいて対峙させ、第２ユニット枠体を第１ユニット枠体の略中央に直交するように配置し、第１ユニット枠体の連結金具に第２ユニット枠体の締結金具を係合させて、第１ユニット枠体と第２ユニット枠体とをＨ字状に締結することで、短時間に簡単に形成することができる。
【００１２】
また、本発明に係る請求項２に記載の商品陳列什器は、請求項１に記載の商品陳列什器において、前記第２ユニット枠体の左右の第２縦枠の、該第２縦枠が対向する面と直交する面に、縦方向に一定のピッチで複数の長孔を設けたことを特徴とする。
よって、第１ユニット枠体と第２ユニット枠体とをＨ字状に締結した状態で、前記長孔に前記第１ユニット枠体と平行に既存のステーを取り付け、該ステー上に棚板等を載置すれば簡単に陳列棚が構成できる。
【００１３】
また、本発明に係る請求項３に記載の商品陳列什器は、請求項１または請求項２に記載の商品陳列什器において、前記第１縦枠および第２縦枠の高さ方向中間部に、前記第１水平枠および第２水平枠と平行な中間枠をそれぞれ取り付けたことを特徴とする。
よって、第１ユニット枠体と第２ユニット枠体のそれぞれの強度を増加することができるとともに、中間枠を棚板等の支持梁として利用でき、商品陳列什器の活用範囲を広げることができる。
【００１４】
また、本発明に係る請求項４に記載の商品陳列什器は、両端に前記第１水平枠に係合する係合金具を取り付けた複数の連結棒を用意し、該連結棒を前記第１水平枠および／または前記中間枠に係合することにより、請求項１乃至請求項３のいずれか１項に記載の複数の商品陳列什器を連結したことを特徴とする。
よって、長さの異なる複数種類の連結棒を用意しておくことにより、売り場の広さや商品の陳列量の多少により、陳列長さを短時間に簡単に変更することができ、自由度を広げることができる。
また、連結棒の配置により商品陳列什器の利用範囲を商品陳列のみではなく、種々に対応可能にできる。
【００１５】
また、本発明に係る請求項５に記載の商品陳列什器は、請求項４に記載の商品陳列什器において、前記連結棒の両端に取り付けた係合金具が、底壁と、該底壁の両端に連続し、前記連結棒の端部が一方の外面に溶接される縦壁とからなるコ字状断面の鍵部材と、該鍵部材の前記底壁の中央内面に、前記縦壁と平行に立設した円柱と、を備えたものであり、前記第１水平枠または中間枠に、前記円柱が挿入される上下に貫通する係合孔を設けたことを特徴とする。
よって、コ字状断面の鍵部材により、枠体を、連結棒の長手方向に位置規制して連結できるとともに、係合孔に円柱が貫通することにより、連結棒の軸と交差する方向の位置を規制して、係合金具を枠体に係合するだけで工具等を使用せずに連結することができる。
【発明の効果】
【００１６】
本発明の商品陳列什器によれば、商品陳列什器を第１ユニット枠体と第２ユニット枠体の最小単位で構成し、一対の第１ユニット枠体を、所定間隔をおいて対峙させ、第２ユニット枠体を第１ユニット枠体の略中央に直交するように配置してＨ字状に締結したので、分解したときに薄く収納できるとともに、組立時には、何ら工具を使わずに、容易に組み立てることができ、かつ、連結棒を用意すれば、２以上の商品陳列什器を自由に連結できて陳列場の広さや商品量に簡単に対応できる。
【発明を実施するための最良の形態】
【００１７】
次に、本発明に係る商品陳列什器の一の実施の形態について図面を参照して説明する。本実施の形態の商品陳列什器は、衣料品の売り場に適用されたものである。
ここで、図１は、商品陳列什器の斜視図であり、図２はその正面図、図３は側面図である。
【実施例１】
【００１８】
商品陳列什器の構成について説明する。基本となる商品陳列什器１０は、図１乃至図３に示すように、矩形の第１ユニット枠体２０と、一対の第１ユニット枠体２０、２０を互いに対向するように所定間隔をおいて対峙させ、両第１ユニット枠体２０の略中央に直交するように配置した矩形の第２ユニット枠体３０とを備え、図４の平面図に示すように、第１ユニット枠体２０の左右方向の略中央と第２ユニット枠体３０の長手方向の両端とをＨ字状に締結したものである。
【００１９】
第１ユニット枠体２０は、図５、図６に示すように、上下端に設けた略正方形断面の金属角パイプからなる第１上水平枠２１、第１下水平枠２２と、該第１上下水平枠２１、２２の端部を連結する同じく略正方形断面の金属角パイプからなる左右の第１縦枠２３、２３とにより矩形に形成された第１枠体２０１と、前記第１上下水平枠２１、２２の略中央部側面に設けた連結金具４０１、４０２と、前記第１枠体２０１の下面に取り付けた転動輪９０、９０とを備えている。
【００２０】
なお、第１枠体２０１の高さ方向の中間部には、左右の第１縦枠２３、２３を結ぶ同一の略正方形断面の金属角パイプからなる中間枠２５が設けられている。
また、第１上水平枠２１と第１下水平枠２２ならびに中間枠２５の上面と下面には、後述する連結棒６０の両端に取り付けた係合金具６３の円柱６３３が貫通する係合孔２１１が等ピッチで複数設けられている（第１下水平枠２２と中間枠２５とに設けられた係合孔２１１は図略）。
また、転動輪９０は移動方向を自由に変更できるキャスターであることが望ましい。
【００２１】
第１ユニット枠体２０の第１上水平枠２１に設けられる連結金具４０１は、図９（Ｂ）に示すように、該第１上水平枠２１の左右方向の略中央部で、縦面を第１上水平枠２１の一方の側面と同一面に合わせ、上面を第１上水平枠２１の下面に取り付けたＬ字状のブラケット４３と、該ブラケット４３の前記縦面に上下方向に開口するように取り付けた角パイプからなる上ヒメール４１とを備える。
前記ブラケット４３の縦面と上ヒメール４１には同一軸心のネジ孔が設けられ、該上ヒメール４１に後述の上メール５１が挿入された後に締め付け可能なように、蝶ネジ４５が取り付けられている。
【００２２】
上ヒメール４１の断面は、第１上水平枠２１等の正方形断面の一辺を略半分にした長方形断面となっており、この長辺を前記ブラケット４３の縦辺に取り付けている。
また、第１下水平枠２２に設けられる連結金具４０２は、図１０（Ｂ）に示すように、該第１下水平枠２２の左右方向の略中央部で、上ヒメール４１と同一軸心となるように第１下水平枠２２の側面に取り付けられ、上ヒメール４１と同一の長方形断面の角パイプからなる下ヒメール４２である。
【００２３】
第２ユニット枠体３０は、図７、図８に示すように、上端に設けられ、高さが第１上水平枠２１と同じで幅が略１／２の長方形断面の金属角パイプからなる第２上水平枠３１と、下端に設けられ、第１上水平枠２１と同じ正方形断面の金属角パイプからなる第２下水平枠３２と、両第２上下水平枠３１、３２の端部を連結し、第２上水平枠３１と略同一の長方形断面の金属角パイプからなる左右の第２縦枠３３、３３とにより矩形に形成された第２枠体３０１と、前記第２上下水平枠３１、３２の端面に設けた締結金具５０１、５０２とを備えている。
【００２４】
なお、第２枠体３０１の高さ方向の中間部には、左右の第２縦枠３３、３３を結び、第２上水平枠３１と略同一の長方形断面の金属角パイプからなる中間枠３５が設けられている。そして、これら第２縦枠３３、３３の断面の長辺側に第２上下水平枠３１、３２と中間枠３５の端部が連結されている。また、左右の第２縦枠３３、３３の、該第２縦枠３３、３３が対向する面と直交する面には、縦方向に一定のピッチで複数の長孔３３１が設けられている。
【００２５】
第２ユニット枠体３０の長手方向の上下端には、第１ユニット枠体２０に設けられた連結金具４０１、４０２に係合する締結金具５０１、５０２が設けられている。
上方の締結金具５０１は、図９（Ａ）に示すように、第２上水平枠３１の高さ寸法と同一で第２縦枠３３を挟んで反対側に取り付けた角パイプからなるサポータ５３と、該サポータ５３を貫通し、サポータ５３の下端より下方に前記上ヒメール４１の高さ寸法と略同一の長さで延出する角棒材よりなる上メール５１とを備えている。
【００２６】
下方の締結金具５０２は、図１０（Ａ）に示すように、第２縦枠３３を挟んで反対側（外側）の面に、該第２縦枠３３の上面と同一位置を下端として取り付けられた、前記上側と同じサポータ５３と、該サポータ５３を貫通し、サポータ５３の下端より下方に前記下ヒメール４２の高さ寸法と略同一の長さで延出する角棒材よりなる下メール５２とを備えている。
【００２７】
以上のように構成された一対の第１ユニット枠体２０と、１個の第２ユニット枠体３０とを用いて商品陳列什器１０を形成する手順を説明する。
２個の第１ユニット枠体２０を、該第１ユニット枠体２０に取り付けられた連結金具４０１、４０２が互いに対向するように、所定間隔をおいて対峙させ、第２ユニット枠体３０を第１ユニット枠体２０の略中央に直交するように配置し、第１ユニット枠体２０の連結金具４０１の、上ヒメール４１に第２ユニット枠体３０の締結金具５０１の上メール５１を挿入して係合させる。
【００２８】
これと同時に、前記第１ユニット枠体２０の連結金具４０２の、下ヒメール４２に第２ユニット枠体３０の締結金具５０２の下メール５２を挿入して係合させることにより、図４に示すように、前記第１ユニット枠体２０と前記第２ユニット枠体３０とをＨ字状に締結して、蝶ネジ４５を締め付けることにより商品陳列什器１０が形成される。
【００２９】
上記のようにして組み立てられた商品陳列什器１０を分解する場合は、蝶ネジ４５を緩め、第２ユニット枠体３０を第１ユニット枠体２０、２０から持ち上げると、第２ユニット枠体３０の両端に取り付けた締結金具５０１、５０２の上下メール５１、５２が、第１ユニット枠体２０の連結金具４０１、４０２の上下ヒメール４１、４２から抜け出て、商品陳列什器１０は第１ユニット枠体２０、２０と第２ユニット枠体３０の３部分に分解される。
そして、これら第１ユニット枠体２０、２０と第２ユニット枠体３０は、その厚さが殆ど角パイプの厚さしかないため、薄く重ねることができ、運搬が容易となる。
【実施例２】
【００３０】
つぎに、第２の実施の形態として、前述のように形成された商品陳列什器１０を２セットと複数の連結棒６０を用いて、大きな長さに形成した商品陳列什器１０２の構成を説明する。
これに用いる連結棒６０は、図１１に示すように、第２上水平枠３１と略同一の長方形断面の金属角パイプからなる連結棒本体６１と、該連結棒本体６１の両端に取り付けられた係合金具６３、６３とを備えている。
【００３１】
係合金具６３は、底壁６３１ａと、該底壁６３１ａの両端に連続し、前記連結棒本体６１の端部が外面に溶接される一方の縦壁６３１ｂと、その反対側の縦壁６３１ｃとからなり、下方に開口して、第１上水平枠２１や中間枠２５の断面と略同じ開口幅を有するコ字状断面の鍵部材６３１と、該鍵部材６３１の前記底壁６３１ａの中央内面に、前記縦壁６３１ｂ、６３１ｃと平行に立設した円柱６３３とを備えている。
【００３２】
以上のように構成された一対の商品陳列什器１０と、複数の連結棒６０とを用いて商品陳列什器１０２を形成する手順を説明する。
商品陳列什器１０２は、図１２の平面図に示すように、第１ユニット枠体２０、２０と、該第１ユニット枠体２０、２０の左右方向の略中央にＨ字状に締結した第２ユニット枠体３０とから形成した商品陳列什器１０を２セット用意し、この商品陳列什器１０を連結棒６０の長さ分だけ離間して配置し、商品陳列什器１０の相対向する第１ユニット枠体２０、２０の第１上水平枠２１ならびに中間枠２５に、図１３に示すように、連結棒６０の係合金具６３の鍵部材６３１を被せ、第１上水平枠２１及び中間枠２５に設けた係合孔２１１に係合金具６３の円柱６３３を挿入して連結することにより形成される。
【００３３】
第１上水平枠２１ならびに中間枠２５に鍵部材６３１を被せることで、第１上水平枠２１ならびに中間枠２５が鍵部材６３１の縦壁６３１ｂと縦壁６３１ｃとの間に挿入されることにより連結棒６０の長手方向の位置が規制され、また、第１上水平枠２１ならびに中間枠２５に設けられた係合孔２１１に円柱６３３が挿入されることで、連結棒６０の横方向の位置が規制されて商品陳列什器１０、１０を確実に連結することができる。
なお、連結棒６０の長さを種々用意しておけば、商品陳列什器１０２の連結長さ（商品陳列幅）を変更することができる。
【実施例３】
【００３４】
つぎに、第３の実施の形態として、商品陳列什器１０を２セットと長さの大きい連結棒６０３とを用いて形成した商品陳列什器１０３を説明する。ただし、上記商品陳列什器１０２と異なる部分のみを主に説明する。
商品陳列什器１０３は、図１４の略図に示すように、前述した２セットの商品陳列什器１０の間に、長さの大きい４本の連結棒６０３を、該商品陳列什器１０の第１上水平枠２１と中間枠２５に橋渡しし、さらに、該連結棒６０３の長手方向略中央部を、図１５に示す支柱７０により支持するように構成したものである。
【００３５】
図略の連結棒６０３は、連結棒本体の長さが、上記第２の実施の形態で説明した連結棒６０の連結棒本体６１の略二倍の長さのものである。この両端には前記連結棒６０と同一の鍵部材６３１と円柱６３３とからなる係合金具６３が接続されている。
この長い連結棒６０３に商品を吊した多数のハンガー等を掛けると、連結棒６０３の中央部が撓んで、商品陳列什器１０との連結状態が変形したりするので、この中央部に支柱７０を取り付けるのが好ましい。
【００３６】
支柱７０は、図１５に示すように、第１上水平枠２１等の正方形断面の一辺が約半分の長方形断面の縦柱７１と、該縦柱７１の下端に水平に取り付けられ、第１上水平枠２１等と同一の正方形断面の水平脚７３とを備えている。長方形断面の縦柱７１の長辺が水平脚７３の長手方向と交差するように連結される。
【００３７】
長方形断面の縦柱７１の一方の長辺の高さ方向上端と中間部には、前記連結棒６０３を高さ方向で支持する支持金具７１１、７１１が取り付けられている。支持金具７１１は、上方に開口する断面コ字状のもので、その内部の底面が前記連結棒６０３の断面の底面と略同一高さとなるように縦柱７１に取り付けられている。
【００３８】
正方形断面の水平脚７３の上面には、長さ方向略中央部に前記縦柱７１の下端が接続されて、逆Ｔ字状を呈している。一方、水平脚７３の両端部近傍の下面には、前記支持金具７１１の底面の微妙な高さを調整できるように調整ネジ７３１が、該調整ネジ７３１の頭部が接地するように取り付けられている。
【００３９】
以上のように構成された一対の商品陳列什器１０と、複数の連結棒６０３と、複数の支柱７０とを用いて商品陳列什器１０３を形成する手順を説明する。商品陳列什器１０と連結棒６０３とによる連結は上記第２の実施の形態と同一である。
この第３の実施の形態では、連結棒６０３を第１上水平枠２１或いは中間枠２５に係合するときに、縦柱７１の支持金具７１１に連結棒６０３が係合するように縦柱７１を略中央に配置しておき、連結棒６０３を第１上水平枠２１或いは中間枠２５に係合すると同時に縦柱７１の支持金具７１１にも係合させて商品陳列什器１０３を形成する。
【００４０】
以上のように構成された第３の実施の形態の商品陳列什器１０３によれば、長い連結棒６０３を用いて長い商品陳列什器を形成しても、その中間部で支柱７０により連結棒６０３を支持するので、商品を吊したハンガーを大量に掛けることができ、効率よく商品の陳列ができる。
【実施例４】
【００４１】
つぎに、第４の実施の形態として、第２の実施の形態で説明した商品陳列什器１０を２セットと複数の連結棒６０を用いて形成した商品陳列什器１０２の延長部に、棚板８０を装着して商品陳列什器１０２に棚を設けた商品陳列什器１０４を説明する。
商品陳列什器１０４は、図１６に示すように、中間枠２５、２５に係合した連結棒６０、６０の幅方向の間で、中間枠２５、２５に図１７に示すような棚板８０を橋渡ししたものである。
【００４２】
棚板８０は、図１７に示すように、アクリル製の棚板本体８１と、その長手方向両端の下面に下向きに取り付けたＬ字状のチャンネル８３とを備えている。
棚板本体８１は、長手方向は棚板本体８１が連結棒６０で連結された中間枠２５、２５上を覆い、チャンネル８３、８３の下向きフランジにより係合される長さを有し、幅方向は、２本の連結棒６０が中間枠２５、２５に取り付けられる間隔より僅かに狭い幅に設定される。
【００４３】
以上のように構成された第４の実施の形態の商品陳列什器１０４によれば、必要に応じて商品陳列什器１０２に棚を設けて、陳列形態を変更したり、棚にレジスター等をおいて所謂レジを設定することができる。
【００４４】
なお、本発明は前記実施の形態のものに限定されるものではなく、その趣旨を逸脱しない範囲で様々な変更が可能である。
例えば、前記実施の形態では、枠体を正方形、長方形断面の角パイプで構成したもので説明したが、円形断面のパイプや棒材を用いてもよい。
また、第１、第２ユニット枠体の中間枠を１本のもので説明したが、これに限られず、２本以上としてもよい。
また、Ｈ字形に組み立てた商品陳列什器１０の上端を、第１ユニット枠体２０の最上部の第１水平枠２１の両外側に連結棒６０を橋渡しして、「日」字状にしてもよい。
【産業上の利用可能性】
【００４５】
本発明は、上下の第１水平枠と、両第１水平枠の端部を連結する左右の第１縦枠とにより矩形の第１枠体を構成し、前記上下の第１水平枠の略中央部側面に連結金具と、前記第１枠体の下面に転動輪を取り付けて第１ユニット枠体を構成し、上下の第２水平枠と、両第２水平枠の端部を連結する左右の第２縦枠とにより矩形の第２枠体を構成し、該第２枠体の上下端で、該第２枠体の延長方向に、前記連結金具と係合する締結金具を取り付けて第２ユニット枠体を構成し、一対の前記第１ユニット枠体を、前記連結金具が互いに対向するように、所定間隔をおいて対峙させ、前記第２ユニット枠体を前記第１ユニット枠体の略中央に直交するように配置し、前記第１ユニット枠体の連結金具に前記第２ユニット枠体の締結金具を係合させて、前記第１ユニット枠体と前記第２ユニット枠体とをＨ字状に締結するように構成したので、組立時には、何ら工具を使わずに容易に組み立てることができ、分解したときには薄く収納できるとともに、移動や運搬をきわめて容易にすることが可能となった。
また、連結棒により簡単に長さを変更できるので、陳列場所の面積に容易に対応した大きさの陳列什器として組み立てることができる。
【図面の簡単な説明】
【００４６】
【図１】本発明の第一の実施の形態に係る商品陳列什器の斜視図である。
【図２】本発明の第一の実施の形態に係る商品陳列什器の正面図である。
【図３】本発明の第一の実施の形態に係る商品陳列什器の側面図である。
【図４】本発明の第一の実施の形態に係る商品陳列什器の平面図である。
【図５】本発明の第一の実施の形態に係る商品陳列什器の、第１ユニット枠体の平面図である。
【図６】本発明の第一の実施の形態に係る商品陳列什器の、第１ユニット枠体の正面図である。
【図７】本発明の第一の実施の形態に係る商品陳列什器の、第２ユニット枠体の平面図である。
【図８】本発明の第一の実施の形態に係る商品陳列什器の、第２ユニット枠体の側面図である。
【図９】本発明の第一の実施の形態に係る商品陳列什器の上部の、（Ａ）は第２ユニット枠体に設けた締結金具、（Ｂ）は第１ユニット枠体に設けた連結金具の側面図を示す。
【図１０】本発明の第一の実施の形態に係る商品陳列什器の下部の、（Ａ）は第２ユニット枠体に設けた締結金具、（Ｂ）は第１ユニット枠体に設けた連結金具の側面図を示す。
【図１１】本発明の第二の実施の形態に係る商品陳列什器に用いる連結棒の、（Ａ）は平面図、（Ｂ）は側面図である。
【図１２】本発明の第二の実施の形態に係る商品陳列什器の平面図である。
【図１３】本発明の第二の実施の形態に係る商品陳列什器の、連結棒による連結部分の側面断面図である。
【図１４】本発明の第三の実施の形態に係る商品陳列什器の簡略斜視図である。
【図１５】本発明の第三の実施の形態に係る商品陳列什器に用いる支柱の正面図である。
【図１６】本発明の第四の実施の形態に係る商品陳列什器の簡略斜視図である。
【図１７】本発明の第四の実施の形態に係る商品陳列什器に用いる棚板の、（Ａ）は平面図、（Ｂ）は側面図である。
【符号の説明】
【００４７】
１０、１０２、１０３、１０４  商品陳列什器
２０            第１ユニット枠体
２０１          第１枠体
２１            第１上水平枠
２２            第１下水平枠
２１１          係合孔
２３            第１縦枠
２５            中間枠
３０            第２ユニット枠体
３０１          第２枠体
３１            第２上水平枠
３２            第２下水平枠
３３            第２縦枠
３３１          長孔
３５            中間枠
４０１、４０２  連結金具(第１枠体側)
４１            上ヒメール
４２            下ヒメール
４３            ブラケット
４５            蝶ネジ
５０１、５０２  締結金具(第２枠体側)
５１            上メール
５２            下メール
５３            サポータ
６０、６０３    連結棒
６１            連結棒本体
６３            係合金具
６３１          鍵部材
６３１ａ        底壁
６３１ｂ        縦壁
６３３          円柱
７０            支柱
７１            縦柱
７１１          支持金具
７３            水平脚
７３１          調整ネジ
８０            棚板
８１            棚板本体
８３            チャンネル
９０            転動輪
【図１】
2007301216.tif 000003
【図２】
2007301216.tif 000004
【図３】
2007301216.tif 000005
【図４】
2007301216.tif 000006
【図５】
2007301216.tif 000007
【図６】
2007301216.tif 000008
【図７】
2007301216.tif 000009
【図８】
2007301216.tif 000010
【図９】
2007301216.tif 000011
【図１０】
2007301216.tif 000012
【図１１】
2007301216.tif 000013
【図１２】
2007301216.tif 000014
【図１３】
2007301216.tif 000015
【図１４】
2007301216.tif 000016
【図１５】
2007301216.tif 000017
【図１６】
2007301216.tif 000018
【図１７】
2007301216.tif 000019